(57)【要約】ウェーブレット符号化されたビデオ画像に動き補償を適用し、これら動き補償されたウェーブレット符号化されたビデオ画像を送信する方法及び装置である。本発明の１つの態様は、ウェーブレット符号化された画像を複数のビット平面に構成し、前記ビット平面の選択された平面を逆ウェーブレット変換し、逆ウェーブレット変換されたビット平面に対応する画像は前記ビデオ画像を表してあり、前記ビデオ画像と、逆ウェーブレット変換された画像との間の動きを推定する符号化装置を含んでいる。本発明の他の態様は、フレームの形式を特定し、第１の形式のフレームが決められる場合、第１の有意ベースの送信処理を開始し、第２の形式のフレームが決められる場合、第２の有意ベースの送信処理を開始する送信装置及び方法を含んでいる。
2006501747.tif 000002
【特許請求の範囲】
【請求項１】
有意ベースの埋設されたウェーブレット符号化されたビデオ画像を動き補償するための符号化装置であり、メモリと通信するプロセッサを有する符号化装置において、前記プロセッサは、
−ウェーブレット符号化された画像を、前記ビデオ画像を表す複数のビット平面に構成し、
−前記ビット平面の選択されたビット平面を逆ウェーブレット変換し、前記逆ウェーブレット変換されたビット平面に対応する画像は前記ビデオ画像を表し、
−前記ビデオ画像と前記逆ウェーブレット変換された画像との間の動きを推定する、
コードを実行する符号化装置。
【請求項２】
前記プロセッサはさらに、前記ビデオ画像をウェーブレット符号化するコードを実行する請求項１に記載の符号化装置。
【請求項３】
前記選択されたビット平面は、最上位ビットを含むビット平面である請求項１に記載の符号化装置。
【請求項４】
前記選択されたビット平面は既知の複数のビット平面を含む請求項１に記載の符号化装置。
【請求項５】
請求項１に記載の符号化装置はさらに、推定された動きを前記ビデオ画像に適用する加算ユニットを有する符号化装置。
【請求項６】
前記プロセッサはさらに、前記推定された動きを前記ビデオ画像に適用するコードを実行する請求項１に記載の符号化装置。
【請求項７】
前記コードは前記メモリに記憶される請求項１に記載の符号化装置。
【請求項８】
前記プロセッサはさらに、フレームの形式を示す請求項１に記載の符号化装置。
【請求項９】
前記フレームの形式は、Ｉフレーム、Ｐフレーム、Ｂフレームを有するグループから選択される請求項８に記載の符号化装置。
【請求項１０】
有意ベースの埋設されたウェーブレット符号化されたビデオ画像を動き補償する方法において、
−前記ウェーブレット符号化された画像を、前記ビデオ画像を表す複数のビット平面に構成するステップと、
−前記ビット平面の選択されたビット平面を逆ウェーブレット変換するステップであり、前記逆ウェーブレット変換されたビット平面に対応する画像は前記ビデオ画像を表しているステップと、
−前記ビデオ画像と、前記逆ウェーブレット変換されたビデオ平面により形成される前記画像との間の動きを推定するステップと、
を有する方法。
【請求項１１】
前記ビデオ画像をウェーブレット符号化するステップをさらに有する請求項１０に記載の方法。
【請求項１２】
前記選択されたビット平面は最上位ビットを有するビット平面である請求項１０に記載の方法。
【請求項１３】
前記推定された動きを前記ビデオ画像に適用するステップをさらに有する請求項１０に記載の方法。
【請求項１４】
フレームの形式を示すステップをさらに有する請求項１０に記載の方法。
【請求項１５】
前記フレームの形式は、Ｉフレーム、Ｐフレーム、Ｂフレームを含むグループから選択される請求項１４に記載の方法。
【請求項１６】
フレームにウェーブレット符号化され、さらにビット平面符号化される動き補償されたビデオ画像を送信する方法において、前記方法は、
−前記フレームの選択されたフレームに関連する標識を決めるステップと、
−前記選択されたフレームに関連する前記ビット平面の選択されたビット平面におけるエントリを決めるステップと、
−前記標識が第１の状態にある場合、第１の処理を開始するステップと、
を有し、前記第１の処理は、
−前記エントリの値が有意であると示される場合、第１の値を送信するステップと、
−そうでなければ、前記選択されたエントリに関連する次のエントリを選択するステップと、
−前記選択された次のエントリの前記値の少なくとも１つが有意であると示される場合、第２の値を送信するステップと、
−前記標識が第２の状態にある場合、第２の処理を開始するステップと、
を有し、前記第２の処理は、
−前記エントリの値が有意ではないと示される場合、第３の値を送信するステップと、
−そうでなければ、前記選択されたエントリに関連する次のエントリを選択するステップと、
−有意と示される前記選択された次のエントリにおける各値に対し、前記第１の値を送信するステップと、
を有する方法。
【請求項１７】
送信される前記エントリの各々をマーキングするステップをさらに有する請求項１６に記載の方法。
【請求項１８】
前記次のエントリの全てが処理される場合、第４の値を送信するステップをさらに有する請求項１６に記載の方法。
【請求項１９】
前記送信される値は、論理１、論理０、“孤立した零”、“零ツリー”を有するグループから選択される請求項１８に記載の方法。
【請求項２０】
フレームにウェーブレット符号化され、さらにビット平面符号化される動き補償されたビデオ画像を送信する送信装置において、
−前記フレームの選択されたフレームに関連する標識を決め、
−前記選択されたフレームに関連する選択されたビット平面におけるエントリを選択し、及び
−前記標識が第１の状態である場合、第１の処理を開始する、
コードを実行する、メモリと通信するプロセッサを有する送信装置において、前記第１の処理は、
−前記エントリの値が有意であると示される場合、第１の値を送信するステップと、
−そうでなければ、前記選択されたエントリに関連する次のエントリを選択するステップと、
−前記選択された次のエントリの前記値の少なくとも１つが有意であると示される場合、第２の値を送信するステップと、
−前記標識が第２の状態である場合、第２の処理を開始するステップと、
を有し、前記第２の処理は、
−前記エントリの値が有意でないと示される場合、第３の値を送信するステップと、
−そうでなければ、前記選択されたエントリに関連する次のエントリを選択するステップと、
−有意であると示される前記選択された次のエントリにおける各値に対し、前記第１の値を送信するステップと、
を有する送信装置。
【請求項２１】
前記プロセッサはさらに、送信される前記エントリの各々をマーキングするコードを実行する請求項２０に記載の送信装置。
【請求項２２】
前記第１の処理はさらに、前記次のエントリの全てが処理される場合、第４の値を送信するステップを有する請求項２０に記載の送信装置。
【請求項２３】
前記送信される値は、論理１、論理０、“孤立した零”、“零ツリー”を有するグループから選択される請求項２２に記載の送信装置。
【請求項２４】
前記コードは前記メモリに含まれる請求項２０に記載の送信装置。
【請求項２５】
前記プロセッサは、前記ビット平面及びウェーブレット符号化されたビデオ画像を入力するためのＩ／Ｏ装置と通信する請求項２０に記載の送信装置。
【請求項２６】
有意ベースの埋設されたウェーブレット符号化されたビデオを動き補償する符号化装置において、
−ウェーブレット符号化された画像を、前記ビデオ画像を表す複数のビット平面に構成する手段と、
−前記ビット平面の選択されたビット平面を逆ウェーブレット変換する手段であり、前記逆ウェーブレット変換されたビット平面に対応する画像が前記ビデオ画像を表している手段と、
−前記ビデオ画像と、前記逆ウェーブレット変換された画像との間の動きを推定する手段と、
を有する符号化装置。
【請求項２７】
フレームにウェーブレット符号化され、さらにビット平面符号化される動き補償されたビデオ画像を送信する送信装置において、
−前記フレームの選択されたフレームに関連する標識を決める手段と、
−前記選択されたフレームに関連する選択されたビット平面におけるエントリを選択する手段と、
−前記標識が第１の状態である場合、第１の処理を開始する手段と、
を有し、前記第１の処理は、
−前記エントリの値が有意であると示される場合、第１の値を送信するステップと、
−そうでなければ、前記選択されたエントリに関連する次のエントリを選択するステップと、
−前記選択された次のエントリの値の少なくとも１つが有意であると示される場合、第２の値を送信するステップと、
−前記標識が第２の状態である場合、第２の処理を開始する手段と、
を有し、前記第２の処理は、
−前記エントリの値が有意でないと示される場合、第３の値を送信するステップと、
−そうでなければ、前記選択されたエントリに関連する次のエントリを選択するステップと、
−有意であると示される前記選択された次のエントリにおける各値に対し、前記第１の値を送信するステップと
を有する送信装置。
【発明の詳細な説明】
【技術分野】
【０００１】
本発明はストリーミングビデオ技術に関し、特にウェーブレット符号化された(wavelet encoded)画像の動き補償を定式化する方法に関する。
【背景技術】
【０００２】
ウェーブレット符号化を用いた画像のデジタル符号化は、従来よく知られ、例えばJ. Shapiro著、”Embedded Image Coding Using Zerotrees of Wavelet Coefficients”, IEEE Transactions on Signal Processing, Vol. 41, No.12, Dec. 1993に記載されている。ウェーブレット符号化は、以下のような特徴；
画像のコンパクトなマルチ解像度の表示を提供する離散ウェーブレット変換；
意義係数の位置を示すバイナリマップである意義マップのコンパクトなマルチ解像度を供給する零ツリー(zerotree)符号化；
前記意義係数のコンパクトなマルチ解像度の表示を供給する逐次近似；
重要度の順序がウェーブレット係数の精度、大きさ、縮尺及び空間位置により適切に決められる優先順位規約；
適応型マルチレベル算術符号化；及び
目標ビットレート又は目標歪が満たされる場合にビットレートの送信を停止するためのシーケンシャル動作；
を含む。
【発明の開示】
【発明が解決しようとする課題】
【０００３】
しかしながら、ウェーブレット符号化は、変化する解像度の画像を供給する有効な能力を実例する一方、動き補償を提供するその能力は苦しいものである。２Ｄウェーブレット符号かと呼ばれる、ある提案される実施例において、別個の動き補償（ＭＣ）予測は、各解像度のレベルにとって必要なものである。このアプリケーションにおいて、ＭＣはエイリアシングを防ぐのに十分な精度でなければならない。３Ｄウェーブレット符号化と呼ばれる、他の提案される方法において、かなり大きい符号化ペナルティ損失が存在する。
【０００４】
それ故に、有意の送信及び符号化ペナルティの無い動き補償を用いて、ウェーブレット符号化された画像の送信を可能し、ウェーブレット符号化の利益を利用する方法が必要である。
【課題を解決するための手段】
【０００５】
ウェーブレット符号化されるビデオ画像に動き補償を適用すると共に、これら動き補償されたウェーブレット変換されるビデオ画像を送信する方法及び装置が開示されている。本発明の１つの態様は、ウェーブレット符号化された画像を複数のビット平面に構成し、前記ビット平面の選択された平面を逆ウェーブレット変換し、前記ビデオ画像を表す画像に対応する逆ウェーブレット変換されたビット平面であり、前記ビデオ画像と、逆ウェーブレット変換された画像との間の動きを推定する符号化装置を含んでいる。本発明の他の態様は、フレームの形式を特定し、第１の形式のフレームが決められる場合、第１の有意ベースの送信処理を開始し、第２の形式のフレームが決められる場合、第２の有意ベースの送信処理を開始する送信装置を含んでいる。
【発明を実施するための最良の形態】
【０００６】
図１から図７に示され、付随する詳細な説明に記載される実施例は、本発明の例示的な実施例として用いられるべきであり、本発明を実施する唯一の方法であると解釈されるべきではない。これらの図面は本発明の概念を説明するためであり、一定の縮尺ではない。参照文字と共に適切な場所に補足される同じ参照番号は同じ要素を特定するのに使われている。
【０００７】
図１は本発明の原理による、ＦＧＳエンハンスメントレイヤ形式のビット平面３００にフォーマットされるウェーブレット符号化される画像の実施例を説明する。この実施例において、ウェーブレット変換されたピクセル要素又はポイント３１０は１０の値を持ち、このピクセル要素又はポイントは、それぞれ３、７、１５及び１２の値を持つ子ピクセル又は子要素と呼ばれる高い解像度のピクセル要素を表し、さらにこれら要素へアクセスする。これにより、バイナリ型２数値システムでは１０１０と表される、ピクセル要素又はポイント３１０の値１０は、この値をビット平面３３０、３４０、３５０及び３６０の間に分散させることにより符号化される。その上、３２１、３２２、３２３及び３２４と表される関連する高い解像度のピクセル要素の値も同様にビット平面３３０、３４０、３５０及び３６０の間において符号化される。
【０００８】
その上、高い解像度のピクセル要素とのリンク又は連係も矢印３３１、３４１、３５１及び３６１で示されるように、維持される。低い解像度と高い解像度との間にあるこの連係（親−子関係）は、示されるように、有限数のビット平面を備える高い解像度の画像を送信するために供給されるので有利である。
【０００９】
図２は本発明の原理による符号化器のブロック図を説明する。この例示的な符号化器において、４１０で表されるビデオ画像は、加算ユニット４１５及び動き推定器４５５に同時に供給される。加算ユニット４１５の出力は次いでウェーブレット変換器４２０に供給され、この変換器は、ウェーブレット変換するためによく知られた処理を実行する。ウェーブレット変換された出力は次いで慣例的に、この変換された画像をビット平面に符号化するビット平面符号化器４２５に供給される。
【００１０】
このビット平面符号化器４２５の出力は次いで、４３０で表されるビットストリームとして出力される。このビットストリームは、詳細に説明されるように、ハードディスク若しくはＣＤ−ＲＯＭ、又はネットワークを介した後の送信のためのメモリに記憶される。
【００１１】
ビット平面符号化器４２５の出力はさらに、動き推定するために指定されるビット平面を選択するビット平面選択器４３５に供給される。好ましい実施例において、このビット平面選択器４３５は、最も高い順位の情報を持つ１つ以上のビット平面を選択する。例えば、ビット平面選択器４３５は、ウェーブレット符号化された情報項目の最上位ビットを含むビット平面を選択する。
【００１２】
これら選択されたビット平面は次いで、ブロック４４０において逆ウェーブレット変換され、その結果がフレームメモリ４４５に記憶される。フレームメモリ４４５の出力は次いで、動き推定器４５５及び動き補償器４５０に同時に供給される。動き推定器４５５は動きベクトルを動き補償器４５０に送る。動き補償器４５０の出力は次いで、加算ユニット４１５に供給される。処理されたフレームが略静止したＩフレームであるか、又は動き補償されたＰ又はＢフレームであるかを示す標識(indicator)がさらに記憶されている。
【００１３】
図３は本発明の原理に従い、動き補償したＰフレーム又はＢフレーム情報を送信するための例示的な処理５００のフローチャートを説明する。この例示的な処理において、ビット平面におけるピクセル又はポイントがマーキングされたかの判断がブロック５０５において行われる。その答えが肯定的である場合、そのビット平面における次のポイント又は値がブロック５１０において得られる。理解されるように、ビット平面における次の又は後続する値は慣例的に、ビット平面における各行にわたり走査し、行の終りが示される場合、次の行の最初のピクセルに進める、すなわち線形ラスター走査(linear laster scan)により得られる。
【００１４】
ブロック５１５において、ビット平面の終りが検出されたかの判断が行われる。その答えが肯定的である場合、このビット平面に対する処理はブロック５１７において終了する。示されていなくとも、次の／後続するビット平面は、全部の画像が送信されるまでアクセスされる。
【００１５】
ブロック５０５の判断に戻り、その答えが否定的である場合、ブロック５２０において、ポイント又はピクセル要素の値が有意ではない(non-significant)かの判断が行われる。その答えが肯定的である場合、後続する送信のための論理０が記憶される。前記ポイントはブロック５３０においてマーキングされ、処理はブロック５１０に進み、次のポイントを得る。
【００１６】
しかしながら、前記答えが否定的である場合、子要素ブロックがブロック５３５で得られる。ブロック５４０において、前記子要素ブロックにおける第１／次のピクセル要素が選択される。ブロック５４５において、選択されたピクセル要素が有意であるかの判断が行われる。その答えが肯定的である場合、ブロック５５０において、後続する送信のための論理１が記憶され、前記ポイントは次にブロック５５５においてマーキングされる。
【００１７】
しかしながら、ブロック５４５における前記答えが否定的である場合、ブロック５６０において、子要素ブロックの終りが検出されたかの判断が行われる。その答えが否定的である場合、ブロック５４０において次の／後続する子エントリが選択される。この子エントリはポインタ又はリンクにより親エントリと関連付けされる。故に、この場合、次の／後続するエントリ、すなわち子エントリとの関係は、関連するポインタの使用を表し、ブロック５１０に関して開示される従来のラスター走査ではない。
【００１８】
しかしながら、前記答えが肯定的である場合、ブロック５６５において、ファミリーツリー(family tree)が検出されたかの判断が行われる。その答えが否定的である場合、ブロック５３５において、先行する子エントリの各々に関連する次の／後続する子要素が選択され、処理はこれらエントリの各々を処理し続ける。
【００１９】
しかしながら、前記答えが肯定的である場合、次のピクセル又はポイントがブロック５１０で得られ、上述されたように、後続するポイントと一緒に処理される。
【００２０】
図４は、本発明の原理に従ってＩフレーム情報を送信する例示的な処理６００のフローチャートを説明する。この処理において、ポイントがマーキングされているかの判断がブロック６０５において行われる。その答えが肯定的である場合、ブロック６１０において次の／後続するポイントが得られる。次にビット平面の終りが検出されたかの判断がブロック６１５において行われる。その答えが肯定的である場合、ブロック６１７において処理は終了する。
【００２１】
ブロック６１５の判断に戻り、その答えが否定的である場合、前記ポイントの値が有意であるかの判断がブロック６２０において行われる。その答えが肯定的である場合、後続する送信のための論理１が記憶される。このポイントはブロック６３０においてマーキングされ、ブロック５１０に処理が進み、前述したような従来のやり方で、前記ビット平面における次のピクセル又はポイントを得る。
【００２２】
しかしながら、ブロック６２０における判断に対する答えが否定的である場合、前述したように、ブロック６３５において、高い解像度又は子ピクセルブロックが関連するポインタを用いて得られる。故に、この場合、次のエントリとの関係は、関連するポインタの使用を構成する。ブロック６４０において、選択された子ピクセルブロックにおける少なくとも１つのピクセル要素が有意であるかの判断が行われる。その答えが肯定的である場合、ブロック６４５において、後続する送信のための“孤立した零(isolated zero)”と呼ばれる少なくとも１つの特別な記号が記憶される。これらピクセル要素の各々はブロック６５０においてマーキングされ、処理はブロック６１０に進み、前記ビット平面における次のポイントを得る。
【００２３】
しかしながら、ブロック６４０における答えが否定的である場合、ブロック６５５において、ファミリーラインの終りが検出されたかの判断が行われる。その答えが否定的である場合、ブロック６３５において、次の関連する子要素ブロックが選択される。処理は、前述されたように、この選択される子要素ブロックを処理し続ける。
【００２４】
しかしながら、６５５における答えが肯定的である場合、ブロック６６０において、後続する送信のための、“零ツリーを送信”と呼ばれる特別な記号が記憶される。前記ポイントは、ブロック６５５においてマーキングされ、処理はブロック６１０に進み、前記ビット平面における次のポイントを得る。
【００２５】
この場合、例えば線形ラスター走査のような従来のやり方で情報項目を送信するのではなく、本発明は、低い解像度及び関連する高い解像度のデータを、この低い解像度の情報が第１の形式のフレームでは有意であり、又は第２の形式のフレームでは有意ではないとみなすかに基づいて、送信する。
【００２６】
図５ａ及び図５ｂは、符号化されたＩフレームに対応する例示的なビット平面７００と、図４に示された処理に従う後続する送信シーケンスとをまとめて説明する。この場合において、ビット平面７００は、７１０、７２０、７３０、７５０、７６０、７７０、７８０及び７９０で示される例えば論理１値のような第１次的な有意値と、例えば論理０値のような単一の有意でない値７４０の行を含む。
【００２７】
図５ｂは、対応する送信シーケンスを説明し、ここでは、前記行において検出された各有意要素、すなわち７１１−７３１及び７５１−７９１に対し論理１値が送信され、有意でない要素が少なくとも１つの関連する子要素として検出される場合、特別な“孤立した零”記号７４１は、有意であると判断される。
【００２８】
図６は本発明の原理を利用する一般的な送信システム８００を説明する。送信局８０５において、ビデオデータは、ビデオフレームソース８１０によりビデオ符号化ユニット８２０に供給される。ビデオ符号化ユニット８２０は図４で説明された符号化器４００を含んでいる。データネットワーク８４０を介して送信するためのビデオ符号化されたデータは次いで、符号化器バッファ８３０に記憶され、レート制御器８３５によりアクセスされる。レート制御器８３５は、利用可能なネットワーク８４０の大域幅と、送信されているフレームの形式とを決め、この送信されているフレームの形式に基づいて送信処理を選択する。
【００２９】
受信システム８５０において、入力されたデータフレームは符号器バッファ８６０に記憶され、ビデオ復号器８７０に供給される。ビデオ復号器８７０は、現在の送信フレームを復号するのに必要な送信情報に関する情報項目を抽出する。復号された情報は次いでビデオディスプレイ８８０上に表される。
【００３０】
図７は例示的なシステム８００の送信及び／又は受信の構成要素の１つ又は幾つかに適する装置９００を説明する。装置９００はテレビジョン、セットトップボックス、デスクトップ、ラップトップ又はパームトップコンピュータ、ＰＤＡ、例えばＶＣＲ、ＤＶＲ、ＴｉＶＯ装置等のようなビデオ／画像記憶装置、並びにこれら及び他の装置の一部又は組み合わせたものを表す。システム９００は、１つ以上のビデオ／画像ソース９０１、１つ以上の入力／出力装置９０２、プロセッサ９０３及びメモリ９０４を収容している。ビデオ／画像ソース９０１は例えば、テレビジョン受信器、ＶＣＲ又は他のビデオ／画像記憶装置を表す。このソース９０１は代わりに、例えばインターネット、ＷＡＮ、ＭＡＮ、ＬＡＮ、地上波放送システム、ケーブルネットワーク、衛星ネットワーク、無線ネットワーク又は電話ネットワーク、並びにこれら及び他の形式のネットワークの一部若しくは組み合わせたものような広域コンピュータ通信ネットワークを介してサーバからビデオを入力するための１つ以上のネットワーク接続を表してもよい。
【００３１】
入力／出力装置９０２、プロセッサ９０３及びメモリ９０４は、通信媒体９０５を介して通信する。この通信媒体９０５は例えば、通信バス、通信ネットワーク、回路、回路カード又は他の装置の１つ以上の内部接続、並びにこれら及び他の通信媒体の一部又は組み合わせたものを表す。ソース９０１からの入力ビデオデータは、表示装置８０６に供給される出力ビデオ／画像を生成するために、メモリ９０４に記憶され、プロセッサ８０３により実行される１つ以上のソフトウェアプログラムに従って実行される。
【００３２】
好ましい実施例において、本発明の原理を用いた符号化及び復号は、前記システムにより実行されるコンピュータ読み取り可能コードにより実施されてよい。このコードはメモリ９０４に記憶されるか、又はＣＤ−ＲＯＭ又はフロッピーディスク（登録商標）のような記憶媒体から読み取られる／ダウンロードされてもよい。他の実施例において、ハードウェア回路が、本発明を実施するためのソフトウェア命令の代わりに又は組み合わせて用いられてもよい。他の態様において、ここに説明される要素が図２に示される動作を行う個別のハードウェア要素として実施されてもよい。
【００３３】
同様に、レート制御器が、図３、４、５ａ及び５ｂに示される動作を行うコードを実行するプロセッサを含んでもよい。このプロセッサは、図２に示される符号化ユニットに用いられたプロセッサの選択に使用した方法と同じ又は異なる方法により選択されてよい。
【００３４】
本発明の基礎的な新規特徴が示され、記載され及び指摘される一方、記載された装置、開示された装置の形式及び詳細、並びにそれら装置の動作に関する様々な省略、置換及び変更は、他の形式の無線通信プロトコルで動作するために、本発明の意図から逸脱することなく当業者により行われてよいと理解される。同じ結果を達成するために、略同じやり方で略同じ機能を行うこれら要素の全ての組み合わせが本発明の範囲内にあることが、明白に意味している。ある説明された実施例から他の実施例へ要素を置換することも十分に意図され、考えられる。
【図面の簡単な説明】
【００３５】
【図１】本発明の原理によるウェーブレット符号化された情報のビット平面への変換を説明する。
【図２】本発明による動き補償されたウェーブレット符号化されたビデオ画像を生成する例示的な符号化器を説明する。
【図３】本発明によるＢ又はＰフレームを動き補償する例示的な処理のフローチャートを説明する。
【図４】本発明によるＩフレームを送信する例示的な処理のフローチャートを説明する。
【図５ａ】本発明の原理による例示的な送信シーケンスを説明する。
【図５ｂ】本発明の原理による例示的な送信シーケンスを説明する。
【図６】本発明の原理によるウェーブレット符号化された画像を処理する例示的なシステムを説明する。
【図７】本発明の原理によるウェーブレット符号化された画像に作用する例示的なシステムを説明する。
【図１】
2006501747.tif 000003
【図２】
2006501747.tif 000004
【図３】
2006501747.tif 000005
【図４】
2006501747.tif 000006
2006501747.tif 000007
【図６】
2006501747.tif 000008
【図７】
2006501747.tif 000009
【国際調査報告】
2006501747.tif 000010
2006501747.tif 000011
2006501747.tif 000012
2006501747.tif 000013